(57)【要約】【課題】核融合の燃料として重水素や三重水素のみに頼ることなく，単体の陽子の水素核を用いて核融合反応を起こす方法を提供する。【解決の手段】水素のプラズマまたは高圧の水素分子にγ線（ガンマ線）を照射することを特徴とする。【特許請求の範囲】
【請求項１】
水素のプラズマにγ線（ガンマ線）を照射することを特徴とする核融合反応を誘発する方法である。
【請求項２】
高圧の水素分子にγ線（ガンマ線）を照射することを特徴とする核融合反応を誘発する方法である。
【発明の詳細な説明】
【技術分野】
【０００１】  本発明は水素のプラズマまたは高圧の水素分子にγ線（ガンマ線）を照射して核融合反応を起こす方法に関するものである。
【背景技術】
【０００２】  従来，人工的に核融合反応を起こすためには燃料として重水素や三重水素を使い，燃料を超高温のプラズマにする必要があった。
【発明の概要】
【発明が解決しようとする課題】
【０００３】  これは次のような欠点があった。
（イ）燃料として使用する重水素や三重水素は水素の同位体であり，陽子単体の水素核を持つ水素の中に少量混ざって存在しているために，その中から重水素や三重水素のみを選り分ける必要があった。
（ロ）重水素と三重水素を燃料とした核融合では「重水素核＋三重水素核→ヘリウム核（α粒子）＋中性子」の反応によって，多量の単体の中性子が生成されるという問題があった。
（ハ）三重水素を使用せず重水素のみを燃料とした場合には，単体の中性子は生成されないが，核融合反応を起こす温度が重水素と三重水素の両方を用いたものを燃料にする場合に比べて高いために，非常に高温のプラズマの状態を作り出す必要があった。
（ニ）重水素のみを燃料に用いた場合に比べて重水素と三重水素の両方を燃料に用いた場合の核融合反応を起こす温度は低くてすむが，それでも核融合反応を起こすためには高温のプラズマ状態を作り出す必要があった。
（ホ）水素の同位体の中で核融合の燃料に使用するのは重水素と三重水素であり，最も大量に存在している陽子単体の水素核を持つ水素を燃料として，陽子単体の水素核４つから１つのヘリウム核（α粒子）を生成する反応を起こす核融合は実用化されていない。
【課題を解決するための手段】
【０００４】  水素のプラズマまたは高圧の水素分子にγ線（ガンマ線）を照射して核融合を誘発する。
本発明は以上の方法により核融合反応を起こすものである。
【発明の効果】
【０００５】（イ）γ線（ガンマ線）を照射することによって，陽子単体の水素核を持つ水素のプラズマでも核融合反応を起こすことができるので，重水素や三重水素を選り分ける必要がなくなる。
（ロ）γ線（ガンマ線）を照射することによって，水素をプラズマ状態にすることなく，高圧の水素分子からでも核融合反応を起こすことが可能となる。
【発明を実施するための形態】
【０００６】  以下，本発明を実施するための形態について説明する。
プラズマ状態の水素または高圧の水素分子にγ線（ガンマ線）を照射する。
本発明は以上のような方法である。
本発明を実施する際の水素のプラズマの温度は高温であるほど，また，圧力は高圧で水素のプラズマの密度が大きいほど，核融合反応を起こしやすく，照射するγ線（ガンマ線）のエネルギーも小さくてすむ。同様に高圧の水素分子にγ線（ガンマ線）を照射する場合も，水素分子の圧力が高く水素分子の密度が大きいほど核融合反応を起こしやすい。
2016125997.tif 000002
れに近い高圧の状態を作る必要がある。
γ線（ガンマ線）の照射は，γ線（ガンマ線）ができるだけ１点に，エネルギーが集中されるようにする。集中し集約されたエネルギーの大きさは，γ線（ガンマ線）から陽電子（ｅ＋）と電子（ｅ−）の対が生成されるエネルギーの大きさよりも，大きくなければならない。
水素のプラズマの中でγ線（ガンマ線）から十分なエネルギーを持つ１組の陽電子（ｅ＋）と電子（ｅ−）の対が生成されると，その陽電子（ｅ＋）と電子（ｅ−）の対は水素のプラズマの中の電子（ｅ−）を１つ取り込んで「ｅ−，ｅ＋，ｅ−」の組み合わせでできた粒子，つまり負の電荷を持つパイ中間子（π−）を生成する。プラズマの中の水素核（単体の陽子）が「π−」と取り込むと「ｐ＋＋π−→ｎ」の反応により中性子に変わる。中性子がプラズマの中の水素核（単体の陽子）と衝突
2016125997.tif 000003
また「π−」がプラズマの中で２つの水素核（単体の陽子）と直接反応すると，
2016125997.tif 000004
「π−」が水素核（単体の陽子）と反応できなかった場合には「π−」は電子とγ線（ガンマ線）などの電磁波に分裂してしまう。
2016125997.tif 000005
では，核エネルギーが開放されてエネルギーを放出するが，「π−」の材料となる陽電子（ｅ＋）と電子（ｅ−）の対を生成するために大きな電磁波のエネルギー
2016125997.tif 000006
てはあまり大きなエネルギーを得ることはできない。
γ線（ガンマ線）の照射により２組の陽電子（ｅ＋）と電子（ｅ−）が生成された場合には水素プラズマの中の２つの電子（ｅ−）と反応して２つの負の電荷を持つパイ中間子（π−）が生成される。
2016125997.tif 000007
にもヘリウム核（α粒子）が生成される。また，重水素核と水素核（単体の陽子）が
2016125997.tif 000008
ヘリウム核（α粒子）が生成される。そして，核エネルギーが開放されて，大きなエネルギーが放出されるのである。
ヘリウム核は「π−」がなくても，水素核（単体の陽子），重水素核，三重水素核から
2016125997.tif 000009
応により生成されるが，水素核（単体の陽子），重水素核，三重水素核のみを用いて核融合反応を起こすには，同電荷の反発力に打ち勝つだけの非常に高温のプラズマ状態を必要とする。
それに対して２つの「π−」と４つの陽子「ｐ＋」（水素核）を直接反応させる場合には「ｐ＋」に対して逆電荷の「π−」の働きから陽子間の同電荷による反発力は軽減され，極端な高温状態は必要としない。しかし，２つの「π−」と４つの「ｐ＋」を一度に反応させるには水素のプラズマの密度が大きい高圧の状態である方が有利であり，できるだけ圧力を高くした方が良い。また，パイ中間子（π＋，π−）の寿命は非常に短かいので，核融合反応の確率を上げるためにも水素のプラズマの圧力の大きさは重要である。
２つの「π−」と４つの「ｐ＋」からヘリウム核（α粒子）を生成する核融合反応を起こすには高温であることよりも，高圧であることの方が大切な要素である。よって，十分に高圧の状態であればプラズマのような高温の状態を作り出さなくても，核融合反応を起こすことは可能なのである。したがって，水素分子の状態でも高圧の状態であれば核融合反応を起こすことができる。
高圧にした水素分子にγ線（ガンマ線）を照射して陽電子（ｅ＋）と電子（ｅ−）の対を生成して核融合反応を起こす場合にもγ線（ガンマ線）をできるだけ一点に集中させて，陽電子（ｅ＋）と電子（ｅ−）の対が生成できるだけのエネルギーの大きさにしなければならない。
水素分子にかかる圧力が大きいほど，またγ線（ガンマ線）の集中により集約されたエネルギーが大きいほど核融合反応は起こりやすくなる。
高圧の水素分子の場合でも核融合反応は，γ線（ガンマ線）から生成された陽電子（ｅ＋）と電子（ｅ−）の対が軌道電子（ｅ−）を取り込み負の電荷を持つパイ中間子（π−）を生成されることからはじまる。
１つの「π−」と１つの水素核（単体の陽子）からは「ｐ＋＋π−→ｎ」の反応により中性子が生成され，１つの「π−」と２つの水素核（単体の陽子）からは
2016125997.tif 000010
子の状態では２つの重水素核が衝突してヘリウム核（α粒子）が生成されることは期待できない。核融合によってヘリウム核（α粒子）を生成するには２つの「π−」と４つの水素核（単体の陽子）から「４ｐ＋＋２π−→
2016125997.tif 000011
水素分子にかかる圧力が不十分だと中性子ばかりが生成され重水素核やヘリウム核（α粒子）は生成されない。一定以上の圧力になると重水素核が生成されるようになり，さらに圧力の高い状態になるとヘリウム核（α粒子）が生成されるようになる。
水素分子の圧力が高ければ高いほど多くのヘリウム核（α粒子）が生成され，中性子や重水素核が生成される確率が小さくなり，効率的に核エネルギーが開放されて，より大きなエネルギーが放出される。なお，この場合の核エネルギーの開放とは質量エネルギーが減少して他のエネルギーに変わることである。